(57)【要約】【課題】向上された安定性及び表示品質を有する表示装置を提供する。【解決手段】表示装置は第１方向及び前記第１方向と交差する第２方向とがなす平面に対して前記第１方向と平行である第１基準軸を基準に曲がった表示パネル、前記表示パネルの下に配置され、前記表示パネルと対向する第１面及び前記第１面を介して前記表示パネルと対向する第２面を含む導光板、前記導光板に光を提供する光源、及び前記導光板及び前記光源を収納するボトムシャーシーを含み、前記第１面は前記平面に対して前記第１方向と平行である第２基準軸を基準に撓み、前記第２面は前記平面と平行である。【選択図】図２
2017116926.tif 000002
【特許請求の範囲】
【請求項１】
第１方向及び前記第１方向と交差する第２方向とがなす平面に対して前記第１方向と平行である第１基準軸を基準に曲がった表示パネルと、
前記表示パネルの下に配置され、前記表示パネルと対向する第１面及び前記第１面を介して前記表示パネルと対向する第２面を含む導光板と、
前記導光板に光を供給する光源と、
前記導光板及び前記光源を収納するボトムシャーシーと、を含み、
前記第１面は、前記平面に対して前記第１方向と平行である第２基準軸を基準に曲がり、前記第２面は、前記平面と平行である表示装置。
【請求項２】
前記表示パネルは、第１曲率半径を有し、前記導光板の前記第１面は、前記第１曲率半径と同一の第２曲率半径を有する請求項１に記載の表示装置。
【請求項３】
前記導光板の前記第２面には、光学パターンが設けられた請求項１に記載の表示装置。
【請求項４】
前記表示パネルの中心の第１地点と前記導光板の前記第２面との間の第１距離は、前記表示パネルの前記第１地点と前記第２方向に離隔された第２地点と前記第２面との間の第２距離より大きく、
平面上で前記第１地点と重畳する前記導光板の第１厚さは、平面上で前記第２地点と重畳する前記導光板の第２厚さより大きい請求項１に記載の表示装置。
【請求項５】
前記表示パネルの中心の第１地点と前記導光板の前記第２面との間の第１距離は、前記表示パネルの前記第１地点と前記第２方向に離隔された第２地点と前記第２面との間の第２距離より小さく、
平面上で前記第１地点と重畳する前記導光板の第１厚さは、平面上で前記第２地点と重畳する前記導光板の第２厚さより小さい請求項１に記載の表示装置。
【請求項６】
前記ボトムシャーシーは、
前記導光板の前記第２面と対向する第１底面及び前記第１底面と対向する第２底面を含む底部と、
前記底部から折り曲げられ、延長する側壁部と、を含み、
前記第１底面は、前記導光板と前記第２底面との間に配置され、前記第１底面は、前記平面と平行である請求項１に記載の表示装置。
【請求項７】
前記第２底面は、前記第１底面と平行である請求項６に記載の表示装置。
【請求項８】
前記第２底面は、前記第１底面と異なる形状を有する請求項６に記載の表示装置。
【請求項９】
前記表示パネルは、前記第２方向に沿って順番に第１部分、第２部分、及び第３部分に区分され、
前記導光板の前記第１面は、平面上で前記第１部分と重畳する第４部分、前記第２部分と重畳する第５部分、及び前記第３部分と重畳する第６部分に区分され、
前記第１部分、前記第３部分、前記第４部分、及び前記第６部分は、前記平面に対して曲がった形状を有し、前記第２部分及び前記第５部分は、前記平面と平行である請求項１に記載の表示装置。
【請求項１０】
第１方向に延長された基準軸を基準に前記第１方向と交差する第２方向に対してカーブされた表示パネルと、
前記表示パネルの下に配置され、前記第２方向に対してカーブされた第１面及び前記第１面と対向し、前記第１方向と前記第２方向がなす平面と平行である第２面を含む導光板と、
前記導光板に光を供給する光源と、
前記導光板の下に配置され、前記第２面と平行である底面を有するボトムシャーシーと、を含む表示装置。
【請求項１１】
前記導光板は、前記第１面と前記第２面とを連結する第１側面、第２側面、第３側面、及び第４側面をさらに含み、
前記第１側面及び前記第２側面は、前記第１方向に離隔されて互いに対向し、前記第３側面及び前記第４側面は、前記第２方向に離隔されて互いに対向し、前記光源は、前記第３側面及び前記第４側面の中で少なくともいずれかと対向して前記導光板に光を供給する請求項１０に記載の表示装置。
【請求項１２】
前記第３側面及び前記第４側面の各々の前記底面に垂直となる第３方向の幅は、一定である請求項１１に記載の表示装置。
【請求項１３】
前記第１側面の前記第３方向の幅は、前記第１側面の中心で遠くなるほど、小さくなり、
前記第２側面の前記第３方向の幅は、前記第２側面の中心で遠くなるほど、小さくなる請求項１２に記載の表示装置。
【請求項１４】
前記第１側面の前記第３方向の幅は、前記第１側面の中心で遠くなるほど、大きくなり、
前記第２側面の前記第３方向の幅は、前記第２側面の中心で遠くなるほど、大きくなる請求項１２に記載の表示装置。
【請求項１５】
前記表示パネルは、前記第２方向に対してカーブされた第１部分、前記第１部分から延長され、前記底面と平行である第２部分、及び前記第２部分から延長され、前記第２方向に対してカーブされた第３部分に区分され、
前記導光板の前記第１面は、前記第２方向に対してカーブされた第４部分、前記第４部分から延長され、前記底面と平行である第５部分、及び前記第５部分から延長され、前記第２方向に対してカーブされた第６部分に区分される請求項１０に記載の表示装置。
【請求項１６】
平面上で前記第１部分は、前記第４部分と重畳し、前記第２部分は、前記第５部分と重畳し、前記第３部分は、前記第６部分と重畳する請求項１５に記載の表示装置。
【請求項１７】
前記表示パネルと前記導光板の前記第１面は、実質的に互いに同一の曲率半径に曲がった請求項１０に記載の表示装置。
【請求項１８】
前記表示パネルと前記導光板の前記第１面との間の前記底面に垂直となる第３方向の距離は、一定である請求項１７に記載の表示装置。
【請求項１９】
前記表示パネルは、第１曲率半径に曲がり、前記導光板の前記第１面は、第２曲率半径に曲がり、前記第１曲率半径の曲率中心と前記第２曲率半径の曲率中心は、実質的に互いに同一である請求項１０に記載の表示装置。
【請求項２０】
曲がった表示パネルと、
前記表示パネルの下に配置された導光板と、
前記導光板に光を供給する光源と、
前記導光板の下に配置されるボトムシャーシーと、を含み、
前記導光板は、前記表示パネルの曲がった形状に対応して曲がった上面及び前記上面と対向し、前記上面と異なる形状を有する下面を含む表示装置。
【発明の詳細な説明】
【技術分野】
【０００１】
本発明は表示装置に関し、より詳細には曲がった表示面を有する表示装置に関する。
【背景技術】
【０００２】
最近、平板表示装置の以外に市場需要にしたがって、カーブド表示装置（曲面形状の表示装置、（ｃｕｒｖｅｄ  ｄｉｓｐｌａｙ  ｄｅｖｉｃｅ））、ローラブル表示装置（巻くことが可能な表示装置（ｒｏｌｌａｂｌｅ  ｄｉｓｐｌａｙ  ｄｅｖｉｃｅ））、及びストレッチャブル（伸縮可能な表示装置（ｓｔｒｅｃｈａｂｌｅ  ｄｉｓｐｌａｙ  ｄｅｖｉｃｅ））のような多様な形態のフレキシブル表示装置に対する研究が進行されている。
【先行技術文献】
【特許文献】
【０００３】
【特許文献１】韓国登録特許第１０−１５６７１５５号公報
【特許文献２】韓国登録特許第１０−１２６７０８１号公報
【特許文献３】韓国登録特許第１０−０９１４８７５号公報
【特許文献４】韓国登録特許第１０−０４９１０６３号公報
【特許文献５】韓国公開特許第１０−２０１４−０００７２０２号公報
【特許文献６】韓国公開特許第１０−２００３−００３５１５８号公報
【特許文献７】米国特許出願公開第２００８／０１５１５７６号明細書
【発明の概要】
【発明が解決しようとする課題】
【０００４】
本発明の目的は向上された安定性及び表示品質を有する表示装置を提供することにある。
【課題を解決するための手段】
【０００５】
本発明の実施形態による表示装置は、第１方向及び前記第１方向と交差する第２方向とがなす平面に対して前記第１方向と平行である第１基準軸を基準に曲がった表示パネルと、前記表示パネルの下に配置され、前記表示パネルと対向する第１面及び前記第１面を介して前記表示パネルと対向する第２面を含む導光板と、前記導光板に光を供給する光源と、前記導光板及び前記光源を収納するボトムシャーシーと、を含み、前記第１面は、前記平面に対して前記第１方向と平行である第２基準軸を基準に曲がり、前記第２面は、前記平面と平行であることができる。
【０００６】
前記表示パネルは、第１曲率半径を有し、前記導光板の前記第１面は、前記第１曲率半径と同一の第２曲率半径を有することができる。
【０００７】
前記導光板の前記第２面には光学パターンが設けられることができる。
【０００８】
前記表示パネルの中心の第１地点と前記導光板の前記第２面との間の第１距離は、前記表示パネルの前記第１地点と前記第２方向に離隔された第２地点と前記第２面との間の第２距離より大きく、平面上で前記第１地点と重畳する前記導光板の第１厚さは、平面上で前記第２地点と重畳する前記導光板の第２厚さより大きい。
【０００９】
前記表示パネルの中心の第１地点と前記導光板の前記第２面との間の第１距離は、前記表示パネルの前記第１地点と前記第２方向に離隔された第２地点と前記第２面との間の第２距離より小さく、平面上で前記第１地点と重畳する前記導光板の第１厚さは、平面上で前記第２地点と重畳する前記導光板の第２厚さより小さい。
【００１０】
前記ボトムシャーシーは、前記導光板の前記第２面と対向する第１底面及び前記第１底面と対向する第２底面を含む底部と、前記底部から折り曲げられ、延長する側壁部と、を含み、前記第１底面は、前記導光板と前記第２底面との間に配置され、前記第１底面は、前記平面と平行であることができる。
【００１１】
前記第２底面は、前記第１底面と平行であることができる。
【００１２】
前記第２底面は、前記第１底面と異なる形状を有することができる。
【００１３】
前記表示パネルは、前記第２方向に沿って順番に第１部分、第２部分、及び第３部分に区分され、前記導光板の前記第１面は、平面上で前記第１部分と重畳する第４部分、前記第２部分と重畳する第５部分、及び前記第３部分と重畳する第６部分に区分され、前記第１部分、前記第３部分、前記第４部分、及び前記第６部分は、前記平面に対して曲がった形状を有し、前記第２部分及び前記第５部分は、前記平面と平行であることができる。
【００１４】
本発明の一実施形態による表示装置は、第１方向に延長された基準軸を基準に前記第１方向と交差する第２方向に対してカーブされた表示パネルと、前記表示パネルの下に配置され、前記第２方向に対してカーブされた第１面及び前記第１面と対向し、前記第１方向と前記第２方向がなす平面と平行である第２面を含む導光板と、前記導光板に光を供給する光源と、前記導光板の下に配置され、前記第２面と平行である底面を有するボトムシャーシーと、を含むことができる。
【００１５】
前記導光板は、前記第１面と前記第２面とを連結する第１側面、第２側面、第３側面、及び第４側面をさらに含み、前記第１側面及び前記第２側面は、前記第１方向に離隔されて互いに対向し、前記第３側面及び前記第４側面は、前記第２方向に離隔されて互いに対向し、前記光源は、前記第３側面及び前記第４側面の中で少なくともいずれかと対向して前記導光板に光を供給することができる。
【００１６】
前記第３側面及び前記第４側面の各々の前記底面に垂直となる第３方向の幅は、一定であることができる。
【００１７】
前記第１側面の前記第３方向の幅は、前記第１側面の中心で遠くなるほど、小さくなり、前記第２側面の前記第３方向の幅は、前記第２側面の中心で遠くなるほど、小さくなることができる。
【００１８】
前記第１側面の前記第３方向の幅は、前記第１側面の中心で遠くなるほど、大きくなり、前記第２側面の前記第３方向の幅は、前記第２側面の中心で遠くなるほど、大きくなることができる。
【００１９】
前記表示パネルは、前記第２方向に対してカーブされた第１部分、前記第１部分から延長され、前記底面と平行である第２部分、及び前記第２部分から延長され、前記第２方向に対してカーブされた第３部分に区分され、前記導光板の前記第１面は、前記第２方向に対してカーブされた第４部分、前記第４部分から延長され、前記底面と平行である第５部分、及び前記第５部分から延長され、前記第２方向に対してカーブされた第６部分に区分されることができる。
【００２０】
平面上で前記第１部分は、前記第４部分と重畳し、前記第２部分は、前記第５部分と重畳し、前記第３部分は、前記第６部分と重畳することができる。
【００２１】
前記表示パネルと前記導光板の前記第１面は、実質的に互いに同一の曲率半径に曲がっていることができる。
【００２２】
前前記表示パネルと前記導光板の前記第１面との間の前記底面に垂直となる第３方向の距離は、一定であることができる。
【００２３】
前記表示パネルは、第１曲率半径に曲がり、前記導光板の前記第１面は、第２曲率半径に曲がり、前記第１曲率半径の曲率中心と前記第２曲率半径の曲率中心は、実質的に互いに同一である。
【００２４】
本発明の実施形態による表示装置は、曲がった表示パネルと、前記表示パネルの下に配置された導光板と、前記導光板に光を供給する光源と、前記導光板の下に配置されるボトムシャーシーと、を含み、前記導光板は、前記表示パネルの曲がった形状に対応して曲がった上面及び前記上面と対向し、前記上面と異なる形状を有する下面を含むことができる。
【発明の効果】
【００２５】
本発明の実施形態による表示装置によれば、導光板とボトムシャーシーとの結合が容易であるので、製造収率が向上されることができる。また、バックライトユニットの形状が変形される現象が最少化されて製品の信頼性が向上されることができる。
【図面の簡単な説明】
【００２６】
【図１】本発明の一実施形態による表示装置の斜視図である。
【図２】本発明の一実施形態による表示装置の分解斜視図である。
【図３】本発明の一実施形態による表示装置の断面図である。
【図４】本発明の一実施形態による導光板を製造するための金型の断面図である。
【図５】本発明の一実施形態による表示装置の断面図である。
【図６】本発明の一実施形態による表示装置の断面図である。
【図７】本発明の一実施形態による表示装置の断面図である。
【図８】本発明の一実施形態による表示装置の斜視図である。
【図９】本発明の一実施形態による表示装置の断面図である。
【図１０】本発明の一実施形態による表示装置の断面図である。
【図１１】本発明の一実施形態による表示装置が活用される例を示した図面である。
【発明を実施するための形態】
【００２７】
本発明は多様な変更を加えることができ、様々な形態を有し得て、特定の実施形態を図面に例示して本文で詳細に説明する。しかし、これは本発明を特定の開示形態に限定しようとすることではなく、本発明の思想及び技術範囲に含まれるすべての変更、均等物乃至代替物を含むこととして理解されるべきである。また、図面で本発明と関係ない部分は、本発明の説明を明確にするために省略し、明細書の全体を通じて類似な部分に対しては同一の図面符号を付けた。
【００２８】
図１は本発明の一実施形態による表示装置の斜視図である。図１を参照すれば、表示装置ＤＤは曲がった表示面ＤＡを通じて映像を表示する。表示面ＤＡは第１方向ＤＲ１と第２方向ＤＲ２とが定義する平面に対して第２方向ＤＲ２に沿って曲がった形状を有する。
【００２９】
表示装置ＤＤは自動車に提供される中央情報ディスプレイ（ｃｅｎｔｅｒ  ｉｎｆｏｒｍａｔｉｏｎ  ｄｉｓｐｌａｙ、ＣＩＤ）、腕首時計型電子機器、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ゲーム機、タブレットＰＣ、スマートフォン、テレビジョン又は外部広告板のような大型電子装備、パーソナルコンピュータ、ノートブック型コンピュータ、自動車ナビゲーションユニットと、カメラのような中小型電子装備等多様な電子機器に適用されることができる。これらは単なる実施形態として提示されたものであって、本発明の概念から逸脱しない限り、他の電子機器にも採用されることができることは勿論である。
【００３０】
図２は本発明の一実施形態による表示装置の分解斜視図であり、図３は本発明の一実施形態による表示装置の断面図である。
【００３１】
図２及び図３を参照すれば、表示装置ＤＤはウインドー部材ＷＡ、表示パネルＤＰ、及びバックライトユニットＢＬＵを含む。
【００３２】
ウインドー部材ＷＡはシリコン基板、ガラス基板、サファイア基板、及びプラスチックフィルムの中でいずれか１つを含み、これに限定されることではない。ウインドー部材ＷＡは全面に配置された機能性コーティング層をさらに含むことができる。機能性コーティング層は指紋防止層、反射防止層等を含むことができる。
【００３３】
ウインドー部材ＷＡは表示パネルＤＰと結合される。表示パネルＤＰとウインドー部材ＷＡとは接着部材（図示せず）によって結合される。接着部材は光学用透明粘着フィルム（Ｏｐｔｉｃａｌｌｙ  Ｃｌｅａｒ  Ａｄｈｅｓｉｖｅ  ｆｉｌｍ）を含む。しかし、本発明はこれに制限されなく、接着部材は光学用樹脂（Ｏｐｔｉｃａｌ  Ｃｌｅａｒ  Ｒｅｓｉｎ）であってもよい。
【００３４】
図示しないが、ウインドー部材ＷＡと表示パネルＤＰとの間にはタッチセンシングユニット（図示せず）がさらに配置されることができる。タッチセンシングユニットは入力地点の座標情報を獲得する。タッチセンシングユニットは抵抗膜方式、静電容量方式、電磁気誘導方式等に区分される。本実施形態でタッチセンシングユニットは静電容量方式のタッチセンシングユニットである。タッチセンシングユニットは交差する２種のセンサーを含み、それ種類が制限されない。２層型（２−ｌａｙｅｒ）の静電容量式のタッチパネルはセルフキャパシタンス（ｓｅｌｆ  ｃａｐａｃｉｔａｎｃｅ）方式又はミューチュアルキャパシタンス（ｍｕｔｕａｌ  ｃａｐａｃｉｔａｎｃｅ）方式にタッチされた地点の座標情報を獲得する。
【００３５】
表示パネルＤＰは第１基板ＤＰ１、第１基板ＤＰ１と対向する第２基板ＤＰ２、及び第１基板ＤＰ１と第２基板ＤＰ２との間に配置された液晶層（図示せず）を含む。液晶層は第１基板ＤＰ１及び第２基板ＤＰ２の間に形成された電界によって配列状態が変更される複数の液晶分子を含む。別に図示しなかったが、表示パネルＤＰの上部及び下部には一対の偏光板（図示せず）が配置される。
【００３６】
表示パネルＤＰは第１方向ＤＲ１と平行である第１基準軸ＡＸ１を基準に、第１方向ＤＲ１と第２方向ＤＲ２とがなす平面に対して曲がっている。表示パネルＤＰの形状に対応してウインドー部材ＷＡも第１方向ＤＲ１と第２方向ＤＲ２とがなす平面に対して第２方向ＤＲ２に沿って曲がった形状を有する。
【００３７】
バックライトユニットＢＬＵは導光板ＬＧＰ、光源ユニットＬＵ、光学シートＯＳ、及びボトムシャーシーＢＣを含む。導光板ＬＧＰは表示パネルＤＰの下に配置される。導光板ＬＧＰは第１面ＬＧＰ＿ｕ、第２面ＬＧＰ＿ｂ、第１側面ＳＳ１、第２側面ＳＳ２、第３側面ＳＳ３、及び第４側面ＳＳ４を含む。
【００３８】
第１面ＬＧＰ＿ｕは表示パネルＤＰと対向する。第２面ＬＧＰ＿ｂは第１面ＬＧＰ＿ｕと対向し、第２面ＬＧＰ＿ｂは第１面ＬＧＰ＿ｕを介して表示パネルＤＰと対向する。
【００３９】
第１面ＬＧＰ＿ｕは表示パネルＤＰの曲がった形状に対応して曲がった形状を有する。第１面ＬＧＰ＿ｕは第１方向ＤＲ１と平行である第２基準軸ＡＸ２を基準に第２方向ＤＲ２に沿って曲がっている。したがって、第１面ＬＧＰ＿ｕは第１方向ＤＲ１と第２方向ＤＲ２とがなす平面に対して曲がった形状を有する。
【００４０】
導光板ＬＧＰで光が出射される第１面ＬＧＰ＿ｕが表示パネルＤＰと類似に曲がった形状を有するので、表示パネルＤＰと導光板ＬＧＰとの間の各地点での間隔は実質的に同一である。
【００４１】
例えば、表示パネルＤＰは第１曲率半径を有し、第１面ＬＧＰ＿ｕは第２曲率半径を有する。ここで、表示パネルＤＰの第１曲率半径は第１基板ＤＰ１の下面の曲率半径を意味する。本発明の実施形態では第１曲率半径と第２曲率半径とは互いに同一である。第１曲率半径と第２曲率半径が同一である場合、第１面ＬＧＰ＿ｕを第３方向ＤＲ３に平行移動した場合、第１面ＬＧＰ＿ｕは第１基板ＤＰ１の下面と重畳する。したがって、表示パネルＤＰと第１面ＬＧＰ＿ｕとの間の第３方向ＤＲ３の距離は一定である。表示パネルＤＰと第１面ＬＧＰ＿ｕとの間の距離が一定であるので、表示パネルＤＰは導光板ＬＧＰから均一な輝度の光を受信することができる。
【００４２】
本発明の実施形態と異なって、本発明の他の実施形態で表示パネルＤＰと第１面ＬＧＰ＿ｕとは互いに異なる曲率半径を有することができる。組立状態で表示パネルＤＰの曲率半径の曲率中心と第１面ＬＧＰ＿ｕの曲率半径の曲率中心とは実質的に重畳する。例えば、第１面ＬＧＰ＿ｕは９９０ｍｍの曲率半径を有する場合、表示パネルＤＰは１０００ｍｍの曲率半径を有し、第１面ＬＧＰ＿ｕと表示パネルＤＰとは１０ｍｍくらい離隔される。前記曲率半径の数値は説明を容易にするために例として挙げたものであって、前記数値に制限されることではない。
【００４３】
第２面ＬＧＰ＿ｂは第１方向ＤＲ１及び第２方向ＤＲ２が定義する平面と実質的に平行である。第２面ＬＧＰ＿ｂには受信した光を反射、散乱、及び屈折等多様な光学的機能を具現するための光学パターン（図４のＬＰ）が設けられることができる。第２面ＬＧＰ＿ｂがフラットであるので、光学パターン（図４のＬＰ）を設けることがより容易である。これに対する追加的な説明は図３で説明する。
【００４４】
表示パネルＤＰの中心の第１地点ＰＴ１と第２面ＬＧＰ＿ｂとの間の距離を第１距離ＬＴ１と定義し、表示パネルＤＰの第２地点ＰＴ２と第２面ＬＧＰ＿ｂとの間の距離を第２距離ＬＴ２と定義する。第３方向ＤＲ３から見た時、第２地点ＰＴ２は第１地点ＰＴ１と第２方向ＤＲ２に離隔される。本実施形態で第１距離ＬＴ１は第２距離ＬＴ２より大きい。したがって、使用者は表示パネルＤＰの中央部が突出された膨らんでいる画面の映像を視聴することができる。
【００４５】
第３方向ＤＲ３から見た時、第１地点ＰＴ１と重畳する導光板ＬＧＰの第１厚さＴＮ１は第３方向ＤＲ３から見た時、第２地点ＰＴ２と重畳する導光板ＬＧＰの第２厚さＴＮ２より厚い。表示パネルＤＰが第２面ＬＧＰ＿ｂに対して膨らんでいるように曲がった場合、第１面ＬＧＰ＿ｕ図第２面ＬＧＰ＿ｂに対して膨らんでいるように曲がる。
【００４６】
第１側面ＳＳ１、第２側面ＳＳ２、第３側面ＳＳ３、及び第４側面ＳＳ４の各々は第１面ＬＧＰ＿ｕと第２面ＬＧＰ＿ｂとを連結する。第１側面ＳＳ１及び第２側面ＳＳ２は第１方向ＤＲ１に離隔されて互いに対向する。第１側面ＳＳ１及び第２側面ＳＳ２の各々は第２方向ＤＲ２及び第３方向ＤＲ３がなす平面と実質的に平行である。第３側面ＳＳ３及び第４側面ＳＳ４は第２方向ＤＲ２に離隔されて互いに対向する。第３側面ＳＳ３及び第４側面ＳＳ４の各々は第１方向ＤＲ１及び第３方向ＤＲ３がなす平面と実質的に平行である。
【００４７】
導光板ＬＧＰの第１面ＬＧＰ＿ｕが第２方向ＤＲ２に対して曲がった形状を有するので、第１側面ＳＳ１及び第２側面ＳＳ２の各々の第３方向ＤＲ３の幅は一定ではない。フラットな第２面ＬＧＰ＿ｂと曲がった第１面ＬＧＰ＿ｕとの間の距離に対応して第１側面ＳＳ１及び第２側面ＳＳ２の各々の第３方向ＤＲ３の幅も変化する。
【００４８】
本実施形態で第１側面ＳＳ１の第３方向ＤＲ３の幅は第１側面ＳＳ１の一端で第１側面ＳＳ１の他端に行くほど、大きくなった後に小さくなる。第１側面ＳＳ１の一端は第３側面ＳＳ３と連結される角であり、第１側面ＳＳ１の他端は第４側面ＳＳ４と連結される角である。第２側面ＳＳ２の第３方向ＤＲ３の幅は第２側面ＳＳ２の一端で第２側面ＳＳ２の他端に行くほど、大きくなった後に小さくなる。第２側面ＳＳ２の一端は第３側面ＳＳ３と連結される角であり、第２側面ＳＳ２の他端は第４側面ＳＳ４と連結される角である。
【００４９】
第３側面ＳＳ３及び第４側面ＳＳ４の各々は長方形状を有する。したがって、第３側面ＳＳ３及び第４側面ＳＳ４の各々の第３方向ＤＲ３の幅は一定である。
【００５０】
光源ユニットＬＵは導光板ＬＧＰの一側に配置される。光源ユニットＬＵは第３側面ＳＳ３及び第４側面ＳＳ４の中で少なくともいずれか１つと対向して配置される。図２では光源ユニットＬＵが第３側面ＳＳ３と対向して配置されたことを例示的に図示したが、これに限定されることではない。例えば、光源ユニットＬＵが複数供給されて第３側面ＳＳ３及び第４側面ＳＳ４の各々と対向して配置されてもよい。
【００５１】
光源ユニットＬＵは光源ＬＳ及び印刷回路基板ＰＣＢを含む。光源ＬＳは印刷回路基板ＰＣＢの上に実装されて印刷回路基板ＰＣＢから駆動電圧を受信する。駆動電圧が印加された光源ＬＳは導光板ＬＧＰに光を供給する。
【００５２】
光学シートＯＳは導光板ＬＧＰと表示パネルＤＰとの間に配置される。光学シートＯＳは導光板ＬＧＰ上から導光板ＬＧＰの第１面ＬＧＰ＿ｕの曲率に対応して曲がっている。光学シートＯＳは導光板ＬＧＰからガイドされた光の経路を制御する役割をする。
【００５３】
光学シートＯＳは拡散シートＯＳ１、プリズムシートＯＳ２、及び保護シートＯＳ３を含む。拡散シートＯＳ１は光を拡散させ、プリズムシートＯＳ２は拡散シートＯＳ１で拡散された光の進行方向が表示パネルＤＰの法泉方向と近くなるように光を集光する。保護シートＯＳ３はプリズムシートＯＳ２を外部の衝撃から保護する。この実施形態では光学シートＯＳが拡散シートＯＳ１、プリズムシートＯＳ２、及び保護シートＯＳ３を１枚ずつ具備することを例としたが、本発明がこれに限定されることではない。例えば、本発明の他の実施形態では光学シートＯＳは拡散シートＯＳ１、プリズムシートＯＳ２、及び保護シートＯＳ３の中で少なくともいずれか１つを複数枚重ねて使用することができ、必要によっていずれか１つ以上のシートが省略されることもあり得る。
【００５４】
ボトムシャーシーＢＣは底部ＢＰ及び側壁部ＳＷを含む。底部ＢＰは導光板ＬＧＰの下に配置される。側壁部ＳＷは底部ＢＰから折り曲げられ、第３方向ＤＲ３に延長される。しかし、これに制限されることではなく、側壁部ＳＷは底部ＢＰに対して直角ではない所定の角度を有し、折り曲げられて延長されてもよい。
【００５５】
側壁部ＳＷの上には接着部材ＳＭが配置される。側壁部ＳＷとウインドー部材ＷＡとは接着部材ＳＭによって結合される。側壁部ＳＷの内側面には印刷回路基板ＰＣＢが両面テープ等のような粘着剤によって付着される。
【００５６】
底部ＢＰは第１底面ＢＰ＿ｕ及び第２底面ＢＰ＿ｂを含む。第１底面ＢＰ＿ｕと第２底面ＢＰ＿ｂとは互いに対向する。第１底面ＢＰ＿ｕは第２底面ＢＰ＿ｂと導光板ＬＧＰとの間で定義される。
【００５７】
第１底面ＢＰ＿ｕは第１方向ＤＲ１及び第２方向ＤＲ２がなす平面に対して実質的に平行である。フラットな第１底面ＢＰ＿ｕの上に導光板ＬＧＰが配置される。本発明の実施形態で、導光板ＬＧＰの第２面ＬＧＰ＿ｂがフラットであるので、第１底面ＢＰ＿ｕの上に容易に安着することができる。
【００５８】
本発明の実施形態と異なって、曲がった形状を有する底面（図示せず）の上にフラットな導光板（図示せず）を加圧し、導光板を曲がる場合には曲がったボトムシャーシー（図示せず）に荷重が加えられる。荷重を受ける間にボトムシャーシーの底面は曲率が維持されるのが難しく、また、組合の後にも曲がった導光板の再び広がる反発力によってボトムシャーシーの曲率が維持されない問題点がある。したがって、応力を持続的に受けるバックライトユニットは最終組合の後に歪む現象が発生することができる。しかし、本発明の実施形態によれば、フラットな第１底面ＢＰ＿ｕを有するボトムシャーシーＢＣの上にフラットな第２面ＬＧＰ＿ｂを有する導光板ＬＧＰが配置される。即ち、導光板ＬＧＰの光を出射する第１面ＬＧＰ＿ｕが本来曲がった形状を有するので、導光板ＬＧＰを曲がるために加圧する工程が省略されて、バックライトユニットＢＬＵの組立が容易である。また、ボトムシャーシーＢＣには導光板ＬＧＰによる応力が発生しない。したがって、バックライトユニットＢＬＵの形状が変形する現象がなく、製造収率及び製品の信頼性を向上させることができる。
【００５９】
図２及び図３で図示しないが、導光板ＬＧＰとボトムシャーシーＢＣとの間には反射シート（図示せず）がさらに配置されてもよい。反射シートは導光板ＬＧＰから漏洩された光を反射して漏洩された光を導光板ＬＧＰ側に再入射させる。また、これと異なってボトムシャーシーＢＣに光反射性物質がコーティングされて反射シートが省略されることもあり得る。
【００６０】
図４は本発明の一実施形態による導光板を製造するための金型の断面図である。図３及び図４を参照すれば、導光板ＬＧＰを形成するために金型ＣＲとスタンパＳＰとが使用される。但し、これは一例を示したものであって、導光板ＬＧＰを成形することにおいて、図４に示した方法に制限されることではない。また、光学パターンＬＰを形成するのに図４に図示されたスタンパＳＰによる方法に制限されることではない。
【００６１】
金型ＣＲは曲率を有する曲率部ＣＲ＿ｃを有する。スタンパＳＰはフラットなフラット部ＳＰ＿ｆを有する。導光板ＬＧＰの第１面ＬＧＰ＿ｕは曲率部ＣＲ＿ｃによって形成される。導光板ＬＧＰの第２面ＬＧＰ＿ｂはフラット部ＳＰ＿ｆによって形成される。
【００６２】
フラット部ＳＰ＿ｆにはパターンＰＴが設けられる。スタンパＳＰは導光板ＬＧＰの第２面ＬＧＰ＿ｂを加圧し、第２面ＬＧＰ＿ｂに光学パターンＬＰを形成する。図４ではパターンＰＴがフラット部ＳＰ＿ｆに陰刻で設けられたことを例として図示したが、これに制限されることではなく、フラット部ＳＰ＿ｆに陽刻で設けられてもよい。
【００６３】
本発明の実施形態によれば、フラット部ＳＰ＿ｆにパターンを加工するので、パターンの形成がより容易である。スタンパＳＰにパターンを形成するためにレーザーを使用する場合を例として挙げれば、曲面のスタンパ（図示せず）にパターンを形成する場合、レーザーの出力強度を各地点毎に調節しなければならない。したがって、曲面のスタンパにパターンを形成する時、レーザーの出力強度及び方向等を考慮しなければならない変数が増加する。しかし、本発明の実施形態によれば、導光板ＬＧＰの第２面ＬＧＰ＿ｂがフラットであるので、第２面ＬＧＰ＿ｂに光学パターンＬＰを形成するためのスタンパＳＰはフラットな面を有する。したがって、スタンパＳＰのフラット部ＳＰ＿ｆにパターンを形成することは曲面のスタンパにパターンを形成することより容易である。
【００６４】
金型ＣＲに導光板ＬＧＰを形成するための物質を満たした後、スタンパＳＰを利用して金型ＣＲに満たされた物質を加圧する。その結果、光学パターンＬＰが形成された導光板ＬＧＰが製造される。図４では光学パターンＬＰの大きさと密度が均一に配列されたことと図示されたが、これに制限されることではない。例えば、光学パターンＬＰの大きさと密度は不均一であってもよい。
【００６５】
また、図４ではパターンＰＴと光学パターンＬＰとの一例として膨らんでいる半球型のパターンを例として図示したが、これに制限されることではない。例えば、本発明の他の実施形態でパターンＰＴ及び光学パターンＬＰは円錐型、多角錐型、プリズム型、複数の直線スクラッチが組合された形状、又は複数のジグザグスクラッチが組合された形状等多様な形状に具現されることができる。図５は本発明の一実施形態による表示装置の断面図である。
【００６６】
図５に図示された表示装置ＤＤａは図３を参照して説明した表示装置ＤＤと比較してボトムシャーシーＢＣａに差異がある。以下、図５では図３で説明した表示装置ＤＤとの差異点を中心に説明する。
【００６７】
ボトムシャーシーＢＣａの底部ＢＰａは一領域が段差された形状を有する。底部ＢＰａは導光板ＬＧＰの第２面ＬＧＰ＿ｂと実質的に平行であるフラット部ＢＰ＿ｆ及びフラット部ＢＰ＿ｆから延長され、光源ユニットＬＵの下に位置する段差部ＢＰ＿ｓに区分される。段差部ＢＰ＿ｓによって光源ユニットＬＵが実装される空間が確保され、表示装置ＤＤａの厚さを減らすことができる。図５では図示しないが、段差部ＢＰ＿ｓと導光板ＬＧＰとの間には光を遮断する遮光部材（図示せず）が配置されてもよい。
【００６８】
ボトムシャーシーＢＣａの側壁部ＳＷの外側に沿ってモールドフレームＭＦが配置される。モールドフレームＭＦはボトムシャーシーＢＣａの側壁部ＳＷをカバーし、ボトムシャーシーＢＣａの枠に沿って配置される。モールドフレームＭＦの上には接着部材ＳＭａが配置される。接着部材ＳＭａはウインドー部材ＷＡとモールドフレームＭＦとを結合する。
【００６９】
図６は本発明の一実施形態による表示装置の断面図である。図６に図示された表示装置ＤＤｂは図５を参照して説明した表示装置ＤＤａと比較してモールドフレームＭＦａの形状に差異がある。
【００７０】
モールドフレームＭＦａはボトムシャーシーＢＣａの側壁部ＳＷに沿ってボトムシャーシーＢＣａの内部に収納される。モールドフレームＭＦａはボトムシャーシーＢＣａの側壁部ＳＷと実質的に同一の高さを有する。
【００７１】
モールドフレームＭＦａの内側壁には光学シートＯＳ又は表示パネルＤＰを支持するための突出部ＭＦ＿ｐが配置される。図６では突出部ＭＦ＿ｐが光学シートＯＳを支持することを例示的に図示した。
【００７２】
側壁部ＳＷとウインドー部材ＷＡとの間及びモールドフレームＭＦとウインドー部材ＷＡとの間には接着部材ＳＭｂが配置される。ウインドー部材ＷＡは側壁部ＳＷとモールドフレームＭＦとの両方に結合される。
【００７３】
図７は本発明の一実施形態による表示装置の断面図である。図７に図示された表示装置ＤＤｃは図３を参照して説明した表示装置ＤＤと比較してボトムシャーシーＢＣｂに差異がある。以下、図７では図３で説明した表示装置ＤＤとの差異点を中心に説明する。
【００７４】
ボトムシャーシーＢＣｂの底部ＢＰｂは第１底面ＢＰ＿ｕａ及び第２底面ＢＰ＿ｂａを含む。第１底面ＢＰ＿ｕａと第２底面ＢＰ＿ｂａとは互いに対向する。第１底面ＢＰ＿ｕａは第２底面ＢＰ＿ｂａと導光板ＬＧＰとの間に定義される。
【００７５】
第１底面ＢＰ＿ｕａは第１方向ＤＲ１及び第２方向ＤＲ２がなす平面に対して実質的に平行である。フラットな第１底面ＢＰ＿ｕａの上に導光板ＬＧＰが容易に安着されることができる。
【００７６】
第２底面ＢＰ＿ｂａは第１方向ＤＲ１と平行である基準軸ＡＸ３を基準に曲がった形状を有する。これは例示的に一例を示したものであって、第２底面ＢＰ＿ｂａの形状は制限されない。例えば、先に図３及び図５で説明した実施形態で第２底面が第１底面と同一の形状を有すれば、本実施形態では第２底面ＢＰ＿ｂａは第１底面ＢＰ＿ｕａと異なる形状を有する。
【００７７】
第２底面ＢＰ＿ｂａは表示装置ＤＤｃが設置される構造の形状に対応する形状を有する。例えば、図７に図示された表示装置ＤＤｃは曲がった面を有する構造物に設置される。これと異なり、本発明の他の実施形態で第２底面ＢＰ＿ｂａには突起が形成されて突起を収容する溝を有する構造物に結合されてもよい。第２底面ＢＰ＿ｂａの形状は表示装置ＤＤｃが設置される場所等の条件にしたがって多様に変更されることができる。
【００７８】
表示装置ＤＤｃは表示パネルＤＰを支持するモールドフレームＭＦｂをさらに含む。モールドフレームＭＦｂはボトムシャーシーＢＣｂの側壁部ＳＷに沿って配置される。図７に図示されたモールドフレームＭＦｂは図６に図示されたモールドフレームＭＦａと比較した時、支持する対象にその差異がある。図７のモールドフレームＭＦｂは表示パネルＤＰの非表示領域（図示せず）の下に配置されて表示パネルＤＰを支持する。
【００７９】
図８は本発明の一実施形態による表示装置の斜視図であり、図９は本発明の一実施形態による表示装置の断面図である。図８及び図９を参照すれば、表示装置ＤＤｄは曲がった表示面ＤＡａを通じて映像を表示する。表示面ＤＡａは第１方向ＤＲ１と第２方向ＤＲ２とが定義する平面に対して第２方向ＤＲ２に沿って曲がった形状を有する。図１の表示面ＤＡが膨らんでいるように曲がった形状を有すれば、図７の表示面ＤＡａは凹んでいるように曲がった形状を有する。図７のウインドー部材ＷＡａ、表示パネルＤＰａ、及び光学シートＯＳａの各々は全て凹んでいるように曲がった形状を有する。
【００８０】
導光板ＬＧＰａは表示パネルＤＰａの下に配置される。導光板ＬＧＰａは第１面ＬＧＰ＿ｕａ及び第２面ＬＧＰ＿ｂａを含む。第１面ＬＧＰ＿ｕａは表示パネルＤＰａと対向し、第２面ＬＧＰ＿ｂａは第１面ＬＧＰ＿ｕａを介して表示パネルＤＰａと対向する。第１面ＬＧＰ＿ｕａは表示パネルＤＰａの曲がった形状に対応して曲がった形状を有する。第１面ＬＧＰ＿ｕａは第１方向ＤＲ１と平行である基準軸を基準に第２方向ＤＲ２に沿って曲がっている。したがって、第１面ＬＧＰ＿ｕａは第１方向ＤＲ１と第２方向ＤＲ２とがなす平面に対して曲がった形状を有する。
【００８１】
導光板ＬＧＰで光が出射される第１面ＬＧＰ＿ｕａが表示パネルＤＰａと類似に曲がった形状を有するので、表示パネルＤＰａと導光板ＬＧＰａとの間の各地点での間隔は実質的に同一である。表示パネルＤＰａと第１面ＬＧＰ＿ｕａとの間の距離が一定であるので、表示パネルＤＰａは導光板ＬＧＰａから均一な輝度の光を受信する。
【００８２】
第２面ＬＧＰ＿ｂａは第１方向ＤＲ１及び第２方向ＤＲ２が定義する平面と実質的に平行である。第２面ＬＧＰ＿ｂａには受信した光を反射又は散乱させる光学パターンが設けられる。第２面ＬＧＰ＿ｂａがフラットであるので、導光板ＬＧＰが安着されるボトムシャーシーＢＣｃの底部はフラットな形状を有して導光板ＬＧＰとボトムシャーシーＢＣｃとの結合がより容易になる。
【００８３】
表示パネルＤＰａの中心の第１地点ＰＴａと第２面ＬＧＰ＿ｂａとの間の距離を第１距離ＬＴａと定義し、表示パネルＤＰａの第２地点ＰＴｂと第２面ＬＧＰ＿ｂａとの間の距離を第２距離ＬＴｂと定義する。第３方向ＤＲ３から見た時、第２地点ＰＴｂは第１地点ＰＴａと第２方向ＤＲ２に離隔される。本実施形態で第１距離ＬＴａは第２距離ＬＴｂより小さい。したがって、使用者は表示パネルＤＰａの中央部が凹んだ画面の映像を視聴する。
【００８４】
第３方向ＤＲ３から見た時、第１地点ＰＴａと重畳する導光板ＬＧＰａの第１厚さＴＮａは第３方向ＤＲ３から見た時、第２地点ＰＴｂと重畳する導光板ＬＧＰａの第２厚さＴＮｂより薄い。表示パネルＤＰａが第２面ＬＧＰ＿ｂａに対して凹んでいるように曲がった場合、第１面ＬＧＰ＿ｕａも第２面ＬＧＰ＿ｂａに対して凹んでいるように曲がっている。
【００８５】
図１０は本発明の一実施形態による表示装置の断面図である。図１０を参照すれば、表示装置ＤＤｅは第１方向ＤＲ１に延長された角の各々と隣接する領域のみが曲がった形状を有する。表示装置ＤＤｅは第１方向ＤＲ１と交差する第２方向ＤＲ２に沿って順番にカーブ領域ＣＵＶ、フラット領域ＦＬＴ、及びカーブ領域ＣＵＶと定義される。
【００８６】
表示パネルＤＰｂは第２方向ＤＲ２に対してカーブされた第１部分ＰＲ１、フラットな第２部分ＰＲ２、及び第２方向ＤＲ２に対してカーブされた第３部分ＰＲ３に区分される。第２部分ＰＲ２は第１部分ＰＲ１と第３部分ＰＲ３との間に定義される。第２部分ＰＲ２は第１方向ＤＲ１と第２方向ＤＲ２とが交差する平面と実質的に平行である。
【００８７】
第３方向ＤＲ３から見た時、第１部分ＰＲ１はカーブ領域ＣＵＶと重畳し、第２部分ＰＲ２はフラット領域ＦＬＴと重畳し、第３部分ＰＲ３はカーブ領域ＣＵＶと重畳する。
【００８８】
導光板ＬＧＰｃは表示パネルＤＰｂの下に配置される。導光板ＬＧＰｃは第１面ＬＧＰ＿ｕｂ及び第２面ＬＧＰ＿ｂｂを含む。第１面ＬＧＰ＿ｕｂは表示パネルＤＰｂと対向し、第２面ＬＧＰ＿ｂｂは第１面ＬＧＰ＿ｕｂを介して表示パネルＤＰｂと対向する。第１面ＬＧＰ＿ｕｂは表示パネルＤＰｂの曲がった形状に対応して曲がった形状を有する。
【００８９】
第１面ＬＧＰ＿ｕｂは第２方向ＤＲ２に対してカーブされた第４部分ＰＲ４、フラットな第５部分ＰＲ５、及び第２方向ＤＲ２に対してカーブされた第６部分ＰＲ６に区分される。第５部分ＰＲ５は第４部分ＰＲ４と第６部分ＰＲ６との間に定義される。
【００９０】
第３方向ＤＲ３から見た時、第４部分ＰＲ４は第１部分ＰＲ１と重畳し、第５部分ＰＲ５は第２部分ＰＲ２と重畳し、第６部分ＰＲ６は第３部分ＰＲ３と重畳する。第１部分ＰＲ１と第４部分ＰＲ４とは互いに同一の曲率半径に曲がり、第３部分ＰＲ３と第６部分ＰＲ６とは互いに同一の曲率半径に曲がっている。表示パネルＤＰｂと第１面ＬＧＰ＿ｕｂとの間の距離が一定であるので、表示パネルＤＰｂは導光板ＬＧＰｂから均一な輝度の光を受信する。
【００９１】
図１０と異なって、本発明の他の実施形態では表示パネルＤＰｂの第１部分ＰＲ１及び第３部分ＰＲ３の中でいずれか１つの部分のみがカーブされ、他の１つの部分はフラットであってもよい。この場合、導光板ＬＧＰｂの第１面ＬＧＰ＿ｕｂも表示パネルＤＰｂの形状に対応して第４部分ＰＲ４と第６部分ＰＲ６との中でいずれか１つの部分のみがカーブされ、他の１つの部分はフラットである。この時、表示パネルＤＰｂのカーブされた部分及び導光板ＬＧＰｂのカーブされた部分は第３方向ＤＲ３から見た時、互いに重畳する。
【００９２】
モールドフレームＢＭはボトムシャーシーＢＣの側壁部ＳＷの外側に沿って配置される。本実施形態でモールドフレームＢＭは光源ＬＤの上部をカバーする。したがって、入光部と隣接する一領域でホットスポットが発生されることを防止することができる。モールドフレームＢＭは光が透過しない性質を有する。例えば、モールドフレームＢＭの光源ＬＤと対向する逸領域には光反射性物質がコーティングされるか、或いは光を吸収する物質がコーティングされることができる。これと異なり、モールドフレームＢＭの自体が不透光性物質で形成されてもよい。
【００９３】
図１１は本発明の一実施形態による表示装置が活用される例を示した図面である。図１１を参照すれば、先に説明した多様な表示装置ＤＤａ、ＤＤｂ、ＤＤｃ、ＤＤｄ、ＤＤｅは車輌ＶＣの内部に実装させることができる。表示装置ＤＤａ、ＤＤｂ、ＤＤｃ、ＤＤｄ、ＤＤｅは操向ハンドル中央領域ＡＲ１、運転席と助手席との間の操作領域ＡＲ２、助手席と対向するダッシュボードＡＲ３等に実装させることができる。図１１は表示装置ＤＤａ、ＤＤｂ、ＤＤｃ、ＤＤｄ、ＤＤｅが適用される一例を示したものであって、これに限定されることではない。
【００９４】
以上では本発明の望ましい実施形態を参照して説明したが、該当技術分野の熟練された当業者又は該当技術分野に通常の知識を有する者であれば、後述される特許請求の範囲に記載された本発明の思想及び技術領域から逸脱しない範囲内で本発明を多様に修正及び変更させることを理解させることができる。したがって、本発明の技術的範囲は明細書の詳細な説明に記載された内容に限定されることではなく、特許請求の範囲によって定められなければならない。
【符号の説明】
【００９５】
ＢＣ    ボトムシャーシー
ＢＬＵ  バックライトユニット
ＤＤ    表示装置
ＤＰ    表示パネル 
ＬＧＰ  導光板 
ＬＵ    光源ユニット
ＯＳ    光学シート
ＷＡ    ウインドー部材
【図１】
2017116926.tif 000003
【図２】
2017116926.tif 000004
【図３】
2017116926.tif 000005
【図４】
2017116926.tif 000006
【図５】
2017116926.tif 000007
【図６】
2017116926.tif 000008
【図７】
2017116926.tif 000009
【図８】
2017116926.tif 000010
【図９】
2017116926.tif 000011
【図１０】
2017116926.tif 000012
【図１１】
2017116926.tif 000013